(57)【特許請求の範囲】
【請求項１】
対象空間の空気を動作に応じて流通させる家電製品と、
前記家電製品に取り付けられ、前記家電製品によって流通された空気からダスト成分を採取するダスト採取体と、
前記ダスト採取体によって採取されたダスト成分を分析する分析装置と、
前記分析装置によるダスト成分の分析結果と、前記家電製品の動作状態を示す動作状態情報とを対応付けて記憶するとともに、前記ダスト採取体の識別情報に対応付けて、前記ダスト採取体によってダスト成分が採取された前記対象空間の状態を示す空間情報を空間ごとに記憶するデータベースと、
前記ダスト採取体の識別情報を用いて前記データベースから取得した前記分析結果、前記動作状態情報および前記空間情報に基づいて、前記対象空間におけるダスト成分の状態を前記空間ごとに診断する診断装置と、
を備え、
前記家電製品は、吸引した空気から取り除いた塵埃が集まる集塵部を有した電気掃除機であり、
前記空間情報は、前記電気掃除機による掃除の軌跡の画像データに基づいて生成された前記電気掃除機の吸込口体による被掃除面および前記吸込口体の移動距離に関する情報を含み、
前記ダスト採取体は、前記集塵部内の空気の流通経路の側面に設けられた開口に設置され、前記流通経路の一部に露出した状態でダスト成分を採取するダスト採取スティックであること
を特徴とする診断システム。
【請求項２】
前記動作状態情報は、前記家電製品の動作モードおよび動作時間を含むこと
を特徴とする請求項１記載の診断システム。
【請求項３】
前記空間情報を取得する携帯通信端末を備え、
前記データベースは、前記携帯通信端末によって取得された前記空間情報を記憶すること
を特徴とする請求項１記載の診断システム。
【請求項４】
情報取得部と診断処理部とを備えた診断装置による対象空間のダスト成分の診断方法であって、
前記情報取得部が、前記対象空間の空気を動作に応じて流通させる家電製品に取り付けられたダスト採取体によって空気から採取されたダスト成分の分析結果と、前記家電製品の動作状態を示す動作状態情報とを対応付けて記憶するとともに、前記ダスト採取体の識別情報に対応付けて、前記ダスト採取体によってダスト成分が採取された前記対象空間の状態を示す空間情報を空間ごとに記憶するデータベースから、前記分析結果、前記動作状態情報および前記空間情報を前記空間ごとに取得するステップと、
前記診断処理部が、前記ダスト採取体の識別情報を用いて、前記情報取得部によって前記データベースから取得された前記分析結果、前記動作状態情報および前記空間情報に基づいて、前記対象空間におけるダスト成分の状態を前記空間ごとに診断するステップと、
を備え、
前記家電製品は、吸引した空気から取り除いた塵埃が集まる集塵部を有した電気掃除機であり、
前記空間情報は、前記電気掃除機による掃除の軌跡の画像データに基づいて生成された前記電気掃除機の吸込口体による被掃除面および前記吸込口体の移動距離に関する情報を含み、
前記ダスト採取体は、前記集塵部内の空気の流通経路の側面に設けられた開口に設置され、前記流通経路の一部に露出した状態でダスト成分を採取するダスト採取スティックであること
を特徴とする診断方法。
【発明の詳細な説明】
【技術分野】
【０００１】
本発明は、ダスト成分の状態を診断する診断システムおよび診断方法に関する。
【背景技術】
【０００２】
従来から、屋内環境を診断することを目的として、屋内空間からダスト成分を採取することが行われている。例えば、屋内環境における、アレルギー疾病に関連する物質の濃度を診断するために、綿棒を使用して屋内空間からダスト成分を採取するサービスが実現されている。このサービスでは、水分を染み込ませた綿棒を使用して、屋内空間の壁面、床面またはカーペットといった採取面を拭き取ることで、綿棒にダスト成分を付着させる。【０００３】
しかしながら、ダスト成分の採取面を綿棒で拭き取るときの力加減に応じてダスト成分の採取量にばらつきが生じる。例えば、綿棒が採取面に強く押し付けられた場合、ダスト成分が多く採取され、綿棒が採取面に押し付けられた力が弱ければ、ダスト成分が少なく採取される。このようなダスト成分の採取量のばらつきは、屋内環境の診断の精度を低下させる要因となる。【０００４】
これに対して、特許文献１に記載される抗原検出装置では、抗原を採取する構造体が、電気掃除機の本体部に連結されたパイプ部の１つのセクション内に挿入されている。抗原を採取する構造体は、抗原を保持するための抗体でコートされたナイロンメッシュを備えている。抗原を採取する構造体は、電気掃除機の吸込口体に繋がるパイプ部と、電気掃除機の本体部から延びたホースに繋がるパイプ部との間に設けられて、これらのパイプ部を接続している。【０００５】
電気掃除機の本体部からの吸引力によって吸込口体からパイプ部を流通した空気は、抗原を採取する構造体が備えるナイロンメッシュを通過してから、電気掃除機の本体部へ流入する。特許文献１に記載される抗原検出装置では、ナイロンメッシュによって電気掃除機の一定の吸引力で流通させた空気から抗原（ダスト成分）が採取されるので、綿棒を使用する場合よりもダスト成分の採取量のばらつきが低減される。
【先行技術文献】
【特許文献】
【０００６】
【特許文献１】特表平７−５０４７４５号公報
【発明の概要】
【発明が解決しようとする課題】
【０００７】
特許文献１に記載された装置では、電気掃除機が一定の吸引力であることが前提とされている。しかしながら、電気掃除機によって吸引された空気から採取されるダスト成分量は、電気掃除機の動作状態、例えば、吸引力の強さを示す動作モードに応じて変化する。このため、特許文献１に記載された装置では、電気掃除機の動作状態が異なると、ダスト成分の採取量にばらつきが生じるため、診断精度が低下するという課題があった。【０００８】
本発明は上記課題を解決するものであり、ダスト成分の採取量のばらつきが考慮された診断を行うことができる診断システムおよび診断方法を得ることを目的とする。
【課題を解決するための手段】
【０００９】
本発明に係る診断システムは、対象空間の空気を動作に応じて流通させる家電製品と、家電製品に取り付けられ、家電製品によって流通された空気からダスト成分を採取するダスト採取体と、ダスト採取体によって採取されたダスト成分を分析する分析装置と、分析装置によるダスト成分の分析結果と、家電製品の動作状態を示す動作状態情報とを対応付けて記憶するとともに、ダスト採取体の識別情報に対応付けて、ダスト採取体によってダスト成分が採取された対象空間の状態を示す空間情報を空間ごとに記憶するデータベースと、ダスト採取体の識別情報を用いてデータベースから取得した分析結果、動作状態情報および空間情報に基づいて、対象空間におけるダスト成分の状態を空間ごとに診断する診断装置を備え、家電製品は、吸引した空気から取り除いた塵埃が集まる集塵部を有した電気掃除機であり、空間情報は、電気掃除機による掃除の軌跡の画像データに基づいて生成された電気掃除機の吸込口体による被掃除面および吸込口体の移動距離に関する情報を含み、ダスト採取体は、集塵部内の空気の流通経路の側面に設けられた開口に設置され、流通経路の一部に露出した状態でダスト成分を採取するダスト採取スティックである。
【発明の効果】
【００１０】
本発明によれば、家電製品の動作に応じて流通された空気から採取されたダスト成分の分析結果と家電製品の動作状態を示す動作状態情報に基づいて、対象空間におけるダスト成分の状態が診断される。これにより、家電製品の動作状態に応じたダスト成分の採取量のばらつきが考慮された診断を行うことができる。
【図面の簡単な説明】
【００１１】
【図１】実施の形態１に係る診断システムの構成を示すブロック図である。
【図２】図２Ａは、実施の形態１に係るダスト採取スティックの構成を示すブロック図であり、図２Ｂは、図２Ａのダスト採取スティックが集塵部に取り付けられた状態を示す断面図である。
【図３】実施の形態１に係る診断方法を示すフローチャートである。
【図４】図４Ａは、実施の形態１に係る診断装置の機能を実現するハードウェア構成を示すブロック図であり、図４Ｂは、実施の形態１に係る診断装置の機能を実現するソフトウェアを実行するハードウェア構成を示すブロック図である。
【図５】実施の形態２に係る診断システムの構成を示すブロック図である。
【図６】実施の形態２に係る診断方法を示すフローチャートである。
【図７】図７Ａは、実施の形態３に係るダスト採取テープが取り付けられた電気掃除機のパイプ部および吸込口体を示す概要図であり、図７Ｂは、図７Ａのダスト採取テープの構成を示すブロック図である。
【図８】実施の形態４に係る空気調和機の前面パネルを開けた状態を示す斜視図である。
【図９】図９Ａは、実施の形態４に係る空気調和機におけるダスト採取に関連した構成を示すブロック図であり、図９Ｂは、図９Ａのダスト採取シートの構成を示すブロック図であり、図９Ｃは、図９Ａのダスト採取テープの構成を示すブロック図である。
【図１０】実施の形態５に係る空気清浄機の構造を示す分解斜視図である。
【図１１】実施の形態５に係る空気清浄機におけるダスト採取に関連した構成を示すブロック図である。
【図１２】実施の形態６に係る除湿機の構造を示す分解斜視図である。
【図１３】実施の形態６に係る除湿機におけるダスト採取に関連した構成を示すブロック図である。
【図１４】図１４Ａは、実施の形態７に係る換気扇を示す斜視図であり、図１４Ｂは、実施の形態７に係るダスト採取シートが設置されたフィルタが、図１４Ａの枠体から外された状態を示す斜視図である。
【図１５】実施の形態７に係る換気扇におけるダスト採取に関連した構成を示すブロック図である。
【図１６】実施の形態８に係る扇風機の前面ガード部材を外した状態を示す斜視図である。
【図１７】実施の形態８に係る扇風機におけるダスト採取に関連した構成を示すブロック図である。
【発明を実施するための形態】
【００１２】
実施の形態１．
図１は、実施の形態１に係る診断システム１の構成を示すブロック図である。診断システム１は、電気掃除機２、ダスト採取スティック３、分析装置４、データベース５および診断装置６を備え、対象空間におけるダスト成分の状態を診断する。ここで、対象空間とは、電気掃除機２が使用可能な空間であり、例えば、住宅の居室、またはオフィスなどの施設の部屋が挙げられる。対象空間におけるダスト成分の状態とは、例えば、対象空間の単位面積当たりのダスト成分の種類ごとの量である。
【００１３】
電気掃除機２は、対象空間の空気を動作に応じて流通させる家電製品であって、本体部２ａ、集塵部２ｂ、パイプ部２ｃおよび吸込口体２ｄを備えている。電気掃除機２において、吸込口体２ｄから吸い込まれた空気は、パイプ部２ｃを通って集塵部２ｂへ流入し、集塵部２ｂで塵埃が取り除かれてから本体部２ａの外部に排出される。また、本体部２ａは、通信部２１およびセンサ２２を備えている。
【００１４】
通信部２１は、データベース５と通信を行う通信部である。通信部２１は、電気掃除機２の動作状態情報とダスト採取スティック３のＩＤ情報を、データベース５に送信する。動作状態情報は、家電製品の動作状態を示す情報であり、例えば、電気掃除機２の吸引力の強さを示す動作モードおよび動作時間がある。また、吸込口体２ｄが備える回転ブラシの回転の有無を、動作状態情報に含めてもよい。ダスト採取スティック３のＩＤ情報は、ダスト採取スティック３を識別するための識別情報であり、ダスト採取スティック３ごとに付与された固有情報である。
【００１５】
センサ２２は、ダスト採取スティック３が電気掃除機２（集塵部２ｂ）に取り付けられたか否かを検出する検出部である。センサ２２によるダスト採取スティック３の取り付けの検出方法としては、例えば、電気的な接触を検出する方法または静電的な接近を検出する方法がある。通信部２１は、センサ２２によってダスト採取スティック３の取り付けが検出されると、ダスト採取スティック３のＩＤ情報をデータベース５に送信する。
【００１６】
ダスト採取スティック３は、電気掃除機２に取り付けられて、電気掃除機２の動作に応じて流通された空気から、ダスト成分を採取するダスト採取体である。ダスト成分には、例えば、電気掃除機２によって流通された空気に含まれる、塵埃、煙、花粉、ウィルス、カビ、菌、アレルゲン、臭気物質、ダニ、ダニ由来の物質（糞、死骸、破片）または揮発性有機化合物がある。
【００１７】
分析装置４は、ダスト採取スティック３によって採取されたダスト成分を分析する装置である。例えば、分析装置４によって、電気掃除機２の動作に応じて流通された空気から採取されたダスト成分の種類および量が分析される。なお、ダスト成分の分析方法には、既存の分析方法を用いることができる。
【００１８】
データベース５は、ダスト採取スティック３のＩＤ情報に対応付けて、ダスト成分の分析結果および電気掃除機２の動作状態情報を記憶している。データベース５を有する記憶装置は、分析装置４および通信部２１との通信が可能でかつ診断装置６による情報の読み出しが可能である。
【００１９】
診断装置６は、データベース５から取得したダスト成分の分析結果および電気掃除機２の動作状態情報に基づいて、対象空間におけるダスト成分の状態を診断する装置である。診断装置６は、情報取得部６１および診断処理部６２を備えている。情報取得部６１は、処理対象のダスト採取スティック３のＩＤ情報に対応付けられたダスト成分の分析結果と電気掃除機２の動作状態情報を、データベース５から取得する。診断処理部６２は、情報取得部６１によって取得されたダスト成分の分析結果および電気掃除機２の動作状態情報に基づいて、対象空間におけるダスト成分の状態を診断する。
【００２０】
図２Ａは、ダスト採取スティック３の構成を示すブロック図である。図２Ｂは、図２Ａのダスト採取スティック３が集塵部２ｂに取り付けられた状態を示す断面図である。図２Ａに示すように、ダスト採取スティック３は、採取部３ｂが一体に設けられた本体部３ａとダスト成分を採取する採取部３ｂを有するスティック状の部材である。
【００２１】
本体部３ａは、採取部３ｂよりも広い幅を有している。また、本体部３ａには、通信部３１および記憶部３２として機能する回路が内蔵されている。採取部３ｂは、分析対象のダスト成分を採取可能な部材であればよい。例えば、採取部３ｂは、空気中の塵埃を細孔で吸着するフィルタであってもよいし、粘着性によって塵埃を採取する粘着剤であってもよい。
【００２２】
集塵部２ｂは、空気から分離された塵埃を集めるための集塵容器であり、図２Ｂに示すように、この集塵容器の側壁に開口２ｂ１が形成されている。開口２ｂ１は、ダスト採取スティック３が挿入されて設置される被設置部である。開口２ｂ１の周縁部には、弾性体で形成されたパッキン７が設けられ、パッキン７には、漏れ防止弁７ａが一体に形成されている。ダスト採取スティック３が開口２ｂ１に挿入されていないとき、漏れ防止弁７ａは、パッキン７側に密着して開口２ｂ１を塞いだ状態になり、集塵容器内を流通する空気が外部に漏れない。
【００２３】
開口２ｂ１に対するダスト採取スティック３の挿入は、幅広の本体部３ａによって係止される。このとき、開口２ｂ１の周縁部のパッキン７がダスト採取スティック３側に密着することで、集塵容器内の空気が外部に漏れることが防止される。このようにしてダスト採取スティック３は開口２ｂ１に設置される。
【００２４】
集塵容器内には、電気掃除機２によって吸引された空気の流通経路が形成されている。ダスト採取スティック３が開口２ｂ１に設置されることで、集塵容器内に形成された空気の流通経路の一部に採取部３ｂが露出した状態となる。集塵容器において、採取部３ｂによって空気からダスト成分が採取されるが、採取部３ｂ以外の部分では、空気が流通して空気の流れが遮断されない。このため、電気掃除機２は、空気を流通させる性能を維持しつつ、ダスト採取スティック３によるダスト成分の採取を行うことができる。
【００２５】
通信部３１は、電気掃除機２の通信部２１と通信を行う通信部である。記憶部３２は、ダスト採取スティック３のＩＤ情報を記憶する記憶部である。通信部３１は、近距離通信を行って、記憶部３２から読み出したダスト採取スティック３のＩＤ情報を通信部２１へ送信する。近距離通信は、通信部２１を有する本体部２ａとの距離が数十センチメートル以下である場合に可能となる通信（非接触通信）である。例えば、ダスト採取スティック３が開口２ｂ１に取り付けられたときに、通信部３１は、記憶部３２から読み出したＩＤ情報を通信部２１へ送信する。
【００２６】
次に、実施の形態１に係る診断方法について説明する。
図３は、実施の形態１に係る診断方法を示すフローチャートである。なお、図３に示す処理が実行される前に、分析装置４には、ダスト成分を採取したダスト採取スティック３が送付されている。分析装置４は、ダスト採取スティック３の採取部３ｂから抽出されたダスト成分の種類および量を分析し、この分析結果をダスト採取スティック３のＩＤ情報とともにデータベース５に送信する。
【００２７】
さらに、電気掃除機２の通信部２１は、センサ２２によってダスト採取スティック３の取り付けが検出されたときに、ダスト採取スティック３のＩＤ情報を、データベース５に送信し、このダスト採取スティック３によってダスト成分が採取されたときの電気掃除機２の動作状態情報を、データベース５に送信している。これにより、図３に示す処理が実行される前に、データベース５には、ダスト採取スティック３のＩＤ情報に対応付けて、分析装置４によるダスト成分の分析結果および電気掃除機２の動作状態情報が記憶されている。
【００２８】
情報取得部６１は、ダスト採取スティック３のＩＤ情報に対応付けられたダスト成分の分析結果および電気掃除機２の動作状態情報を、データベース５から取得する（ステップＳＴ１）。例えば、情報取得部６１には、診断対象のダスト採取スティック３のＩＤ情報が事前に設定されている。情報取得部６１は、事前に設定されたＩＤ情報に基づいて、データベース５を検索することによって、診断対象のダスト採取スティック３のＩＤ情報に対応付けられたダスト成分の分析結果および電気掃除機２の動作状態情報を取得する。
【００２９】
診断処理部６２は、情報取得部６１によって取得されたダスト成分の分析結果と、電気掃除機２の動作状態情報とに基づいて、対象空間におけるダスト成分の状態を診断する（ステップＳＴ２）。例えば、電気掃除機２が特定の動作状態であるときに、ダスト採取スティック３によって採取されたダスト成分量と、被掃除面の単位面積当たりのダスト成分量との対応関係を、ダスト成分の種類ごとに事前に導出しておく。診断処理部６２は、分析装置４によるダスト成分の分析結果および電気掃除機２の動作状態情報を、この対応関係に当てはめて、被掃除面の単位面積当たりのダスト成分量をダスト成分の種類ごとに診断する。これにより、対象空間の単位面積当たりにどの種類のダスト成分がどれくらいの量だけ存在しているかを認識することができる。
【００３０】
なお、これまで対象空間に存在する家電製品（電気掃除機２）が１台である場合を示したが、実施の形態１に係る診断システム１は、これに限定されるものではない。例えば、診断装置６は、対象空間に存在する複数の家電製品にそれぞれ取り付けられたダスト採取体によって採取されたダスト成分の分析結果と、これらの家電製品のそれぞれの動作状態情報に基づいて、対象空間におけるダスト成分の状態を診断することが可能である。これにより、ダスト成分の診断精度をさらに高めることができる。
【００３１】
また、実施の形態１におけるダスト採取体は、ダスト採取スティック３以外に、ダスト採取テープまたはダスト採取シートであってもよい。例えば、ダスト採取テープは、採取部およびテープ部を備えている。テープ部は、一方の面が接着面になっているテープ部材であり、接着面ではない他方の面上に採取部が担持される。採取部は、空気の流れに曝されると、空気からダスト成分を採取する。また、ダスト採取シートは、ダスト成分を採取する採取部と本体部を備えている。本体部は、例えば、採取部の周縁部を支持する枠体であり、一方の面が被設置面に貼り付けられる接着面になっている。
【００３２】
次に、診断装置６の機能を実現するハードウェア構成について説明する。
診断装置６における情報取得部６１および診断処理部６２の機能は、処理回路によって実現される。すなわち、診断装置６は、図３のステップＳＴ１からステップＳＴ２までの処理を実行するための処理回路を備える。処理回路は、専用のハードウェアであってもよいが、メモリに記憶されたプログラムを実行するＣＰＵ（Ｃｅｎｔｒａｌ  Ｐｒｏｃｅｓｓｉｎｇ  Ｕｎｉｔ）であってもよい。
【００３３】
図４Ａは、診断装置６の機能を実現するハードウェア構成を示すブロック図である。図４Ｂは、診断装置６の機能を実現するソフトウェアを実行するハードウェア構成を示すブロック図である。図４Ａおよび図４Ｂにおいて、入力インタフェース１００は、診断対象のダスト採取スティック３のＩＤ情報の入力を中継するインタフェースである。例えば、入力装置を用いて入力されたＩＤ情報は、入力インタフェース１００によって中継されて情報取得部６１に設定される。
【００３４】
出力インタフェース１０１は、ダスト成分の診断結果の出力を中継するインタフェースである。例えば、診断装置６から出力されたダスト成分の診断結果は、出力インタフェース１０１によって中継されて表示装置に表示される。記憶装置インタフェース１０２は、診断装置６とデータベース５が設けられた記憶装置とのインタフェースであり、情報取得部６１によってデータベース５から読み出された情報を中継する。
【００３５】
処理回路が、図４Ａに示す専用のハードウェアの処理回路１０３である場合、処理回路１０３は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）またはこれらを組み合わせたものが該当する。診断装置６における情報取得部６１および診断処理部６２の機能を別々の処理回路で実現してもよく、これらの機能をまとめて１つの処理回路で実現してもよい。
【００３６】
処理回路が、図４Ｂに示すプロセッサ１０４である場合、診断装置６における情報取得部６１および診断処理部６２の機能は、ソフトウェア、ファームウェアまたはソフトウェアとファームウェアとの組み合わせによって実現される。ソフトウェアまたはファームウェアは、プログラムとして記述されてメモリ１０５に記憶される。
【００３７】
プロセッサ１０４は、メモリ１０５に記憶されたプログラムを読み出して実行することによって、診断装置６における情報取得部６１および診断処理部６２の機能を実現する。例えば、診断装置６は、プロセッサ１０４によって実行されたときに、図３に示すフローチャートにおけるステップＳＴ１からステップＳＴ２の処理が結果的に実行されるプログラムを記憶するためのメモリ１０５を備えている。これらのプログラムは、情報取得部６１および診断処理部６２の手順または方法を、コンピュータに実行させる。メモリ１０５は、コンピュータを情報取得部６１および診断処理部６２として機能させるためのプログラムが記憶されたコンピュータ可読記憶媒体であってもよい。
【００３８】
メモリ１０５は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ−ＥＰＲＯＭ）などの不揮発性または揮発性の半導体メモリ、磁気ディスク、フレキシブルディスク、光ディスク、コンパクトディスク、ミニディスク、ＤＶＤなどが該当する。
【００３９】
診断装置６における情報取得部６１および診断処理部６２の機能の一部を専用のハードウェアで実現し、一部をソフトウェアまたはファームウェアで実現してもよい。例えば、情報取得部６１は、専用のハードウェアである処理回路１０３により機能を実現し、診断処理部６２は、プロセッサ１０４が、メモリ１０５に記憶されたプログラムを読み出して実行することによって機能を実現する。このように、処理回路は、ハードウェア、ソフトウェア、ファームウェアあるいはこれらの組み合わせによって上記機能を実現することができる。
【００４０】
以上のように、実施の形態１に係る診断システム１は、対象空間の空気を動作に応じて流通させる電気掃除機２と、電気掃除機２によって流通された空気からダスト成分を採取するダスト採取スティック３と、ダスト採取スティック３によって採取されたダスト成分を分析する分析装置４と、分析装置４によるダスト成分の分析結果と電気掃除機２の動作状態を示す動作状態情報とを対応付けて記憶するデータベース５と、データベース５に記憶された分析結果および動作状態情報に基づいて、対象空間におけるダスト成分の状態を診断する診断装置６を備える。電気掃除機２の動作に応じて流通された空気から採取されたダスト成分の分析結果と、電気掃除機２の動作状態情報に基づいて、対象空間におけるダスト成分の状態が診断される。これにより、電気掃除機２の動作状態に応じたダスト成分の採取量のばらつきが考慮された診断を行うことができる。
【００４１】
実施の形態２．
図５は、実施の形態２に係る診断システム１Ａの構成を示すブロック図である。図５において、図１と同一の構成要素には、同一の符号を付して説明を省略する。診断システム１Ａは、対象空間におけるダスト成分の状態を診断する。診断システム１Ａは、電気掃除機２Ａ、ダスト採取スティック３、分析装置４、データベース５Ａ、診断装置６Ａおよび携帯通信端末８を備えている。対象空間は、電気掃除機２Ａが使用可能な空間であって、例えば、住宅の居室またはオフィスなどの施設の部屋がある。対象空間におけるダスト成分の状態は、例えば、対象空間の単位面積当たりのダスト成分の種類ごとの量である。
【００４２】
電気掃除機２Ａは、対象空間の空気を動作に応じて流通させる家電製品であって、本体部２ａ、集塵部２ｂ、パイプ部２ｃおよび吸込口体２ｄを備えている。電気掃除機２Ａにおいて、吸込口体２ｄから吸い込まれた空気は、パイプ部２ｃを通って集塵部２ｂへ流入し、集塵部２ｂで塵埃が取り除かれてから本体部２ａの外部に排出される。また、本体部２ａは、通信部２１およびセンサ２２を備えている。さらに、吸込口体２ｄには、センサ２３が設けられている。
【００４３】
通信部２１Ａは、携帯通信端末８と通信を行う通信部である。通信部２１Ａは、電気掃除機２Ａの動作状態情報とダスト採取スティック３のＩＤ情報を、携帯通信端末８に送信する。動作状態情報は、家電製品の動作状態を示す情報であり、例えば、電気掃除機２Ａの吸引力の強さを示す動作モード、電気掃除機２Ａの動作時間および吸込口体２ｄの姿勢がある。ダスト採取スティック３のＩＤ情報は、ダスト採取スティック３を識別するための識別情報であり、ダスト採取スティック３ごとに付与された固有情報である。
【００４４】
センサ２２は、ダスト採取スティック３が電気掃除機２Ａ（集塵部２ｂ）に取り付けられたか否かを検出する検出部である。センサ２２によるダスト採取スティック３の取り付けの検出方法としては、例えば、電気的な接触を検出する方法または静電的な接近を検出する方法がある。通信部２１Ａは、センサ２２によってダスト採取スティック３の取り付けが検出されると、ダスト採取スティック３のＩＤ情報を、携帯通信端末８に送信する。
【００４５】
センサ２３は、電気掃除機２を用いた掃除に伴う吸込口体２ｄの姿勢を検出する検出部である。例えば、センサ２３は、吸込口体２ｄの傾き情報を検出する傾きセンサである。被掃除面は、床面ばかりではなく、壁面あるいは天井面である場合も考えられる。壁面に吸込口体２ｄを押し当てたとき、吸込口体２ｄには、床面上にある場合とは異なる傾きが生じる。診断システム１Ａでは、センサ２３によって検出された吸込口体２ｄの傾き情報に基づいて、水平面に平行な面（床面）以外の被掃除面を特定している。
【００４６】
ダスト採取スティック３は、電気掃除機２Ａに取り付けられて、電気掃除機２Ａの動作に応じて流通された空気から、ダスト成分を採取するダスト採取体である。ダスト成分には、例えば、電気掃除機２Ａによって流通された空気に含まれる、塵埃、煙、花粉、ウィルス、カビ、菌、アレルゲン、臭気物質、ダニ、ダニ由来の物質（糞、死骸、破片）または揮発性有機化合物がある。
【００４７】
データベース５Ａは、ダスト採取スティック３のＩＤ情報に対応付けて、ダスト成分の分析結果、電気掃除機２Ａの動作状態情報および空間情報を記憶している。データベース５Ａを有する記憶装置は、分析装置４および携帯通信端末８との通信が可能で、かつ、診断装置６Ａによる情報の読み出しが可能である。ここで、空間情報は、対象空間の状態を示す情報であり、例えば、被掃除面における吸込口体２ｄの軌跡（図５で符号Ａを付した領域）を示す情報、被掃除面の種類（例えば、フローリング、カーペット、畳、タイル、土間、コンクリートまたはリノリウムといった床面の材質、あるいは壁、棚上などの部位）および対象空間である部屋の間取り情報がある。
【００４８】
診断装置６Ａは、データベース５Ａから取得されたダスト成分の分析結果、電気掃除機２Ａの動作状態情報および対象空間の空間情報に基づいて、対象空間におけるダスト成分の状態を診断する装置である。診断装置６Ａは、情報取得部６１および診断処理部６２Ａを備えている。情報取得部６１は、処理対象のダスト採取スティック３のＩＤ情報に対応付けられた、ダスト成分の分析結果、電気掃除機２Ａの動作状態情報および対象空間の空間情報を、データベース５Ａから取得する。診断処理部６２Ａは、情報取得部６１によって取得されたダスト成分の分析結果、電気掃除機２Ａの動作状態情報および対象空間の空間情報に基づいて、対象空間におけるダスト成分の状態を診断する。
【００４９】
携帯通信端末８は、データベース５Ａおよび通信部２１Ａと通信を行う端末であって、例えば、電気掃除機２Ａを用いて掃除を行う使用者によって携帯される。携帯通信端末８は、カメラ部８１、制御部８２および通信部８３を備えている。カメラ部８１は、撮影範囲８１ａの撮影を行う。例えば、カメラ部８１は、吸込口体２ｄの軌跡Ａを撮影し、軌跡Ａの画像情報を制御部８２に出力する。
【００５０】
制御部８２は、カメラ部８１によって電気掃除機２Ａの周囲が撮影された画像データを解析することで、対象空間の空間情報を生成する。例えば、制御部８２は、吸込口体２ｄの軌跡Ａが撮影された画像データに基づいて、吸込口体２ｄの移動距離と吸込口体２ｄが移動している被掃除面の種類を特定し、特定した情報を含む空間情報を生成する。
【００５１】
通信部８３は、データベース５Ａおよび通信部２１Ａと通信を行う。通信部８３は、ダスト採取スティック３のＩＤ情報、これに対応する動作状態情報および空間情報をデータベース５Ａに送信する。データベース５Ａには、携帯通信端末８から受信されたダスト採取スティック３のＩＤ情報に対応付けて、ダスト成分の分析結果、電気掃除機２Ａの動作状態情報および空間情報が記憶される。
【００５２】
なお、電気掃除機２Ａの周囲を撮影するカメラがカメラ部８１である場合を示したが、電気掃除機２Ａの周囲を撮影するカメラは、家電製品が備えるカメラまたは家電製品とは独立して設けられたカメラ装置であってもよい。例えば、空気調和機の室内機にカメラが設けられている場合、制御部８２は、当該カメラによって電気掃除機２Ａの周囲が撮影された画像データを解析することで、対象空間の空間情報を生成することができる。また、カメラ装置は、例えば、見守りカメラであってもよい。
【００５３】
次に、実施の形態２に係る診断方法について説明する。
図６は、実施の形態２に係る診断方法を示すフローチャートである。なお、図６に示す処理が実行される前に、分析装置４には、ダスト成分を採取したダスト採取スティック３が送付されている。分析装置４は、ダスト採取スティック３の採取部３ｂから抽出されたダスト成分の種類および量を分析し、この分析結果をダスト採取スティック３のＩＤ情報とともにデータベース５Ａに送信する。
【００５４】
電気掃除機２Ａの通信部２１Ａは、センサ２２によってダスト採取スティック３の取り付けが検出されたときに、ダスト採取スティック３のＩＤ情報を、携帯通信端末８に送信し、このダスト採取スティック３によってダスト成分が採取されたときの電気掃除機２Ａの動作状態情報を、携帯通信端末８に送信している。
【００５５】
携帯通信端末８のカメラ部８１は、ダスト採取スティック３によってダスト成分が採取されたときの電気掃除機２Ａの周囲を撮影している。携帯通信端末８の制御部８２は、電気掃除機２Ａの周囲が撮影された画像データに基づいて、対象空間の空間情報を生成している。携帯通信端末８の通信部８３は、ダスト採取スティック３のＩＤ情報、電気掃除機２Ａの動作状態情報および対象空間の空間情報を、データベース５Ａに送信する。これにより、図６に示す処理が実行される前に、データベース５Ａには、ダスト採取スティック３のＩＤ情報に対応付けて、分析装置４によるダスト成分の分析結果、電気掃除機２Ａの動作状態情報および対象空間の空間情報が記憶されている。
【００５６】
情報取得部６１は、ダスト採取スティック３のＩＤ情報に対応付けられたダスト成分の分析結果、電気掃除機２の動作状態情報および対象空間の空間情報を、データベース５Ａから取得する（ステップＳＴ１ａ）。例えば、情報取得部６１には、診断対象のダスト採取スティック３のＩＤ情報が事前に設定されている。情報取得部６１は、事前に設定されたＩＤ情報に基づいてデータベース５Ａを検索することによって、診断対象のダスト採取スティック３のＩＤ情報に対応付けられた、ダスト成分の分析結果、電気掃除機２の動作状態情報および空間情報を取得する。
【００５７】
診断処理部６２Ａは、情報取得部６１によって取得されたダスト成分の分析結果、電気掃除機２Ａの動作状態情報および対象空間の空間情報に基づいて対象空間におけるダスト成分の状態を診断する（ステップＳＴ２ａ）。例えば、電気掃除機２Ａが特定の被掃除面の状態において特定の動作状態であるときにダスト採取スティック３によって採取されたダスト成分量と、被掃除面の単位面積当たりのダスト成分量との対応関係をダスト成分の種類ごとに事前に導出しておく。診断処理部６２Ａは、分析装置４によるダスト成分の分析結果、電気掃除機２Ａの動作状態情報および空間情報を、この対応関係に当てはめて、被掃除面の単位面積当たりのダスト成分量を、ダスト成分の種類ごとに診断する。これにより、対象空間の単位面積当たりにどの種類のダスト成分がどれくらいの量だけ存在しているかを認識することができる。
【００５８】
なお、これまで、対象空間に存在する家電製品（電気掃除機２Ａ）が１台である場合を示したが、実施の形態２に係る診断システム１Ａは、これに限定されるものではない。
例えば、診断装置６Ａは、対象空間に存在する複数の家電製品にそれぞれ取り付けられたダスト採取体によって採取されたダスト成分の分析結果、これらの家電製品のそれぞれの動作状態情報および対象空間の空間情報に基づいて、当該対象空間におけるダスト成分の状態を診断することが可能である。これにより、ダスト成分の診断精度をさらに高めることができる。
【００５９】
診断装置６Ａは、分析装置４によるダスト成分の分析結果、電気掃除機２Ａの動作状態情報、および対象空間の空間情報を空間ごとに比較することで、対象空間におけるダスト成分の状態を診断することができる。例えば、診断処理部６２Ａは、互いに異なる部屋のそれぞれにおけるダスト成分の分析結果、電気掃除機２Ａの動作状態情報および対象空間の空間情報を比較することで、「一方の部屋では、他方の部屋よりも特定のダスト成分の量が多い」というような、ダスト成分の部屋ごとの比較診断を行うことができる。
【００６０】
また、実施の形態２におけるダスト採取体は、ダスト採取スティック３以外に、ダスト採取テープまたはダスト採取シートであってもよい。例えば、ダスト採取テープは、採取部およびテープ部を備えている。テープ部は、一方の面が接着面になっているテープ部材であり、接着面ではない他方の面上に採取部が担持される。採取部は、空気の流れに曝されると、空気からダスト成分を採取する。また、ダスト採取シートは、ダスト成分を採取する採取部と本体部を備えている。本体部は、例えば、採取部の周縁部を支持する枠体であり、一方の面が被設置面に貼り付けられる接着面になっている。
【００６１】
さらに、実施の形態１および実施の形態２では、家電製品が電気掃除機である場合を示したが、対象空間の空気を動作に応じて流通させる家電製品であればよく、電気掃除機に限定されるものではない。ダスト採取体が取り付けられる家電製品には、例えば、空気調和機、空気清浄機、除湿機、換気扇または扇風機が挙げられる。
【００６２】
なお、診断装置６Ａにおける情報取得部６１および診断処理部６２Ａの機能は、処理回路によって実現される。すなわち、診断装置６Ａは、図６に示したステップＳＴ１ａからステップＳＴ２ａの処理を実行するための処理回路を備えている。処理回路は、図４Ａに示した専用のハードウェアの処理回路１０３であってもよいし、図４Ｂに示したメモリ１０５に記憶されたプログラムを実行するプロセッサ１０４であってもよい。
【００６３】
以上のように、実施の形態２に係る診断システム１Ａは、対象空間の空気を動作に応じて流通させる電気掃除機２Ａと、電気掃除機２Ａによって流通された空気からダスト成分を採取するダスト採取スティック３と、ダスト採取スティック３によって採取されたダスト成分を分析する分析装置４と、分析装置４によるダスト成分の分析結果、電気掃除機２Ａの動作状態を示す動作状態情報および対象空間の空間情報を対応付けて記憶するデータベース５Ａと、データベース５Ａに記憶された分析結果、動作状態情報および空間情報に基づいて、対象空間におけるダスト成分の状態を診断する診断装置６Ａを備える。電気掃除機２Ａの動作に応じて流通された空気から採取されたダスト成分の分析結果、電気掃除機２Ａの動作状態情報および対象空間の空間情報に基づいて、対象空間におけるダスト成分の状態が診断される。これにより、電気掃除機２Ａの動作状態に応じたダスト成分の採取量のばらつきが考慮された診断を行うことができる。
【００６４】
実施の形態３．
実施の形態１および実施の形態２は、電気掃除機の集塵部に取り付けられたダスト採取スティックによってダスト成分を採取する場合を示したが、実施の形態３では、電気掃除機のパイプ部および吸込口体に取り付けられたダスト採取テープによってダスト成分を採取する形態について説明する。
【００６５】
図７Ａは、実施の形態３に係るダスト採取テープ３Ａが取り付けられた電気掃除機２のパイプ部２ｃおよび吸込口体２ｄを示す概要図であり、図７Ｂは、図７Ａのダスト採取テープ３Ａの構成を示すブロック図である。ダスト採取テープ３Ａは、本体部３ｃ、採取部３ｄ、通信部３１および記憶部３２を備える。本体部３ｃは、一方の面が接着面になっているテープ部材であり、接着面ではない他方の面上に採取部３ｄが担持されている。採取部３ｄは、空気の流れに暴露されると、当該空気からダスト成分を採取する。採取部３ｄは、例えば、空気中の塵埃を細孔で吸着するフィルタであってもよいし、粘着性によって塵埃を採取する粘着剤であってもよい。
【００６６】
通信部３１は、電気掃除機２の通信部２１と通信を行う通信部である。記憶部３２は、ダスト採取テープ３ＡのＩＤ情報を記憶する記憶部である。通信部３１は、近距離通信を行って、記憶部３２から読み出したダスト採取テープ３ＡのＩＤ情報を通信部２１へ送信する。近距離通信は、通信部２１を有する本体部２ａとの距離が数十センチメートル以下である場合に可能となる通信（非接触通信）である。例えば、ダスト採取テープ３Ａが貼り付けられたときに、通信部３１は、記憶部３２から読み出したＩＤ情報を通信部２１へ送信する。
【００６７】
電気掃除機２の通信部２１は、センサ２２によってダスト採取テープ３Ａの貼り付けが検出されたときに、ダスト採取テープ３ＡのＩＤ情報を、データベース５に送信し、このダスト採取テープ３Ａによってダスト成分が採取されたときの電気掃除機２の動作状態情報をデータベース５に送信する。これにより、図３に示した処理が実行される前に、データベース５には、ダスト採取テープ３ＡのＩＤ情報に対応付けて分析装置４によるダスト成分の分析結果および電気掃除機２の動作状態情報が記憶される。
【００６８】
図７Ａに示すように、パイプ部２ｃの端部の内壁面または吸込口体２ｄの内部の流通経路には、採取部３ｄがパイプ部２ｃの内側または吸込口体２ｄの内部の流通経路に向くようにダスト採取テープ３Ａが貼り付けられる。パイプ部２ｃの内側には、吸込口体２ｄから吸い込まれて電気掃除機２の本体部２ａへ流入する空気の流通経路が形成されている。また、吸込口体２ｄの内部には、被掃除面から吸引された空気の流通経路が形成されている。
【００６９】
ダスト採取テープ３Ａは、パイプ部２ｃの内側に形成された空気の流通経路の一部に採取部３ｄが露出するように、パイプ部２ｃの内壁面に着脱可能に貼り付けられている。また、ダスト採取テープ３Ａは、吸込口体２ｄの内部に形成された空気の流通経路の一部に採取部３ｄが露出するように、吸込口体２ｄの内部に着脱可能に貼り付けられている。パイプ部２ｃの内側または吸込口体２ｄの内部は、空気の流通経路の一部に露出した露出部分であり、パイプ部２ｃの内側または吸込口体２ｄの内部において、採取部３ｄによってダスト成分が採取され、採取部３ｄ以外の部分では、空気が流通する。このように、パイプ部２ｃの内側または吸込口体２ｄの内部の空気の流れが遮断されないため、電気掃除機２は、空気を流通させる性能を維持しつつ、ダスト採取テープ３Ａによるダスト成分の採取を行うことができる。
【００７０】
以上のように、実施の形態３に係る電気掃除機２において、ダスト採取テープ３Ａが、電気掃除機２によって流通された空気の流通経路の一部に露出した状態で電気掃除機２に設置され、当該流通経路の空気からダスト成分を採取する。流通経路において、空気は、ダスト採取テープ３Ａが露出している部分以外を流通することができるので、電気掃除機２は、空気を流通させる性能を維持しつつ、ダスト成分を採取することができる。
【００７１】
実施の形態４．
図８は、実施の形態４に係る空気調和機１０の前面パネル１０ａを開けた状態を示す斜視図であり、空気を流通させる機能を有した家電製品として空気調和機１０を示したものである。空気調和機１０は、室内機であり、その内部には熱交換器とクロスフローファンが設けられている。吹き出し口には、風向を調整するルーバー１１が設けられ、熱交換器の前面には、フィルタ１２が配置されている。フィルタ１２は、空気に含まれるダスト成分を除去するフィルタである。
【００７２】
クロスフローファンによって空気調和機１０に取り込まれた空気は、フィルタ１２を通過して熱交換器に送られる。フィルタ１２を通過した空気は、熱交換器によって冷風または温風に変換された後、吹き出し口から流出される。吹き出し口では、ルーバー１１によって風向が調整される。このように、空気調和機１０は、フィルタ１２を通過して熱交換器へ向かう空気の流通経路を形成し、さらに、熱交換器に向かった空気を吹き出し口から流出させる流通経路を形成する。
【００７３】
フィルタ１２の一部には、図８に示すようにダスト採取シート３Ｂが設置されている。また、ルーバー１１は、吹き出し口から吹き出される空気の流通経路に露出した露出部分であり、ルーバー１１の一部にダスト採取テープ３Ｃが着脱可能に貼り付けられる。
なお、空気調和機１０には、ダスト採取シート３Ｂまたはダスト採取テープ３Ｃのうちの少なくとも一方が取り付けられる。
【００７４】
図９Ａは、実施の形態４に係る空気調和機１０におけるダスト採取に関連した構成を示すブロック図である。図９Ｂは、図９Ａのダスト採取シート３Ｂの構成を示すブロック図であり、図９Ｃは、図９Ａのダスト採取テープ３Ｃの構成を示すブロック図である。ダスト採取シート３Ｂは、図９Ｂに示すように、本体部３ｅ、採取部３ｆ、通信部３１および記憶部３２を備える。本体部３ｅは、採取部３ｆの周縁部を支持する枠体であり、一方の面がフィルタ１２に貼り付けられる接着面になっている。採取部３ｆは、空気の流れに暴露されると、ダスト成分を空気から採取する。採取部３ｆは、例えば、空気中の塵埃を細孔で吸着するフィルタであってもよいし、粘着性によって塵埃を採取する粘着剤であってもよい。
【００７５】
ダスト採取テープ３Ｃは、図９Ｃに示すように、本体部３ｇ、採取部３ｈ、通信部３１および記憶部３２を備える。本体部３ｇは、一方の面が接着面になっているテープ部材であり、接着面ではない他方の面上に採取部３ｈが担持されている。採取部３ｈは、空気の流れに暴露されると、当該空気からダスト成分を採取する。採取部３ｈは、例えば、空気中の塵埃を細孔で吸着するフィルタであってもよいし、粘着性によって塵埃を採取する粘着剤であってもよい。
【００７６】
通信部３１は、空気調和機１０が備える通信部２１と通信を行う通信部である。記憶部３２は、ダスト採取シート３Ｂまたはダスト採取テープ３ＣのＩＤ情報を記憶する記憶部である。通信部３１は、近距離通信を行って、記憶部３２から読み出したダスト採取シート３Ｂまたはダスト採取テープ３ＣのＩＤ情報を通信部２１へ送信する。近距離通信は、通信部２１との距離が数十センチメートル以下の場合に可能となる通信（非接触通信）である。例えば、ダスト採取シート３Ｂまたはダスト採取テープ３Ｃが貼り付けられたときに、通信部３１は、記憶部３２から読み出したＩＤ情報を通信部２１へ送信する。
【００７７】
通信部２１は、空気調和機１０が備えるセンサ２２によってダスト採取シート３Ｂまたはダスト採取テープ３Ｃの取り付けが検出されたときに、ダスト採取シート３Ｂまたはダスト採取テープ３ＣのＩＤ情報をデータベース５に送信し、ダスト採取シート３Ｂまたはダスト採取テープ３Ｃによってダスト成分が採取されたときの空気調和機１０の動作状態情報をデータベース５に送信する。これにより、図３に示した処理が実行される前に、データベース５には、ダスト採取シート３Ｂまたはダスト採取テープ３ＣのＩＤ情報に対応付けて、分析装置４によるダスト成分の分析結果および空気調和機１０の動作状態情報が記憶される。
【００７８】
空気調和機１０では、ダスト採取シート３Ｂがフィルタ１２の一部に設置されているので、フィルタ１２を通過して熱交換器へ向かう空気の流れが遮断されず、ダスト採取テープ３Ｃがルーバー１１に貼り付けられていても、吹き出し口から流出される空気の流れが遮断されない。このように、空気調和機１０は、空気を流通させる性能を維持しつつ、ダスト採取シート３Ｂおよびダスト採取テープ３Ｃによるダスト成分の採取を行うことができる。
【００７９】
なお、空気調和機１０に対して、ダスト採取シート３Ｂまたはダスト採取テープ３Ｃの代わりに、ダスト採取スティック３を設置してもよい。この場合、ダスト採取スティック３を設置するための開口が、空気調和機１０の空気の流通経路に面した壁面（例えば、本体筐体の側面）に設けられて、漏れ防止弁が一体に形成されたパッキンが当該開口の周縁部に設けられる。このように構成された空気調和機１０であっても、採取部３ｂによってダスト成分が採取され、採取部３ｂ以外の部分では、空気が流通するので、上記と同様に、空気を流通させる性能を維持しつつ、ダスト採取スティック３によるダスト成分の採取を行うことができる。
【００８０】
以上のように、実施の形態４に係る空気調和機１０において、ダスト採取シート３Ｂとダスト採取テープ３Ｃが、空気調和機１０によって流通された空気の流通経路の一部に露出した状態で設置され、流通経路の空気からダスト成分を採取する。流通経路において、空気は、ダスト採取シート３Ｂおよびダスト採取テープ３Ｃが露出した部分以外を流通することができるので、空気調和機１０は、空気を流通させる性能を維持しつつ、ダスト成分を採取することができる。
【００８１】
実施の形態５．
図１０は、実施の形態５に係る空気清浄機４０の構造を示す分解斜視図であり、空気を流通させる機能を有した家電製品として空気清浄機４０を示したものである。空気清浄機４０は、本体部４１、送風ファン４２、触媒４３、活性炭フィルタ４４、除菌フィルタ４５、プレフィルタユニット４６および吸込パネル４７を備える。
【００８２】
本体部４１は、送風ファン４２と、送風ファン４２を駆動させるモータなどの駆動部を備える。また、本体部４１の上部には、本体部４１と吸込パネル４７との間に形成される吸い込み口から吸い込まれた空気を吹き出す吹き出し口４１ａが設けられている。送風ファン４２は、回転駆動することで、吸い込み口から吸い込み、吹き出し口４１ａから吹き出される空気の流通経路を形成する。
【００８３】
触媒４３は、吹き出し口４１ａから吹き出される前の空気に含まれる臭い成分を吸着して分解する。活性炭フィルタ４４は、空気に含まれる臭い成分を吸着して除去する。除菌フィルタ４５は、空気に含まれる除菌対象成分を吸着して除去する。プレフィルタユニット４６は、空気に含まれるダスト成分を除去するフィルタ４６ａとフィルタ４６ａの一部にダスト採取シート３Ｄを備える。フィルタ４６ａは、空気に含まれるダスト成分を除去するフィルタである。
【００８４】
図１１は、実施の形態５に係る空気清浄機４０におけるダスト採取に関連した構成を示すブロック図である。ダスト採取シート３Ｄは、図１１に示すように、本体部３ｉ、採取部３ｊ、通信部３１および記憶部３２を備えている。本体部３ｉは、採取部３ｊの周縁部を支持する枠体であり、一方の面がフィルタ４６ａに貼り付けられる接着面になっている。採取部３ｊは、空気の流れに暴露されると、ダスト成分を空気から採取する。採取部３ｊは、例えば、空気中の塵埃を細孔で吸着するフィルタであってもよいし、粘着性によって塵埃を採取する粘着剤であってもよい。
【００８５】
通信部３１は、空気清浄機４０が備える通信部２１と通信を行う通信部である。記憶部３２は、ダスト採取シート３ＤのＩＤ情報を記憶する記憶部である。通信部３１は、近距離通信を行って、記憶部３２から読み出したダスト採取シート３ＤのＩＤ情報を通信部２１へ送信する。近距離通信は、通信部２１との距離が数十センチメートル以下の場合に可能となる通信（非接触通信）である。例えば、ダスト採取シート３Ｄが貼り付けられたときに、通信部３１は、記憶部３２から読み出したＩＤ情報を通信部２１へ送信する。
【００８６】
通信部２１は、空気清浄機４０が備えるセンサ２２によってダスト採取シート３Ｄの取り付けが検出されたときに、ダスト採取シート３ＤのＩＤ情報を、データベース５に送信し、ダスト採取シート３Ｄによってダスト成分が採取されたときの空気清浄機４０の動作状態情報を、データベース５に送信する。これにより、図３に示した処理が実行される前に、データベース５には、ダスト採取シート３ＤのＩＤ情報に対応付けて、分析装置４によるダスト成分の分析結果および空気清浄機４０の動作状態情報が記憶される。
【００８７】
ダスト採取シート３Ｄがフィルタ４６ａの一部に設置されることにより、吸い込み口を通ってフィルタ４６ａに向かう、ダスト成分を含む空気の流通経路の一部に採取部３ｊが露出した状態となる。これにより、プレフィルタユニット４６において、ダスト採取シート３Ｄが設けられた部分では、採取部３ｊによってダスト成分が採取され、ダスト採取シート３Ｄ以外の部分では、空気が流通する。
【００８８】
なお、空気清浄機４０に対して、ダスト採取シート３Ｄの代わりに、ダスト採取スティック３を設置してもよい。この場合、ダスト採取スティック３を設置するための開口が、空気清浄機４０の空気の流通経路に面した壁面（例えば、本体筐体の側面）に設けられ、漏れ防止弁が一体に形成されたパッキンが当該開口の周縁部に設けられる。このように構成された空気清浄機４０であっても、採取部３ｂによってダスト成分が採取され、採取部３ｂ以外の部分では、空気が流通するので、上記と同様に、空気を流通させる性能を維持しつつ、ダスト採取スティック３によるダスト成分の採取を行うことができる。
【００８９】
以上のように、実施の形態５に係る空気清浄機４０において、ダスト採取シート３Ｄが、空気清浄機４０によって流通された空気の流通経路の一部に露出した状態で設置され、当該流通経路の空気からダスト成分を採取する。流通経路において、空気は、ダスト採取シート３Ｄが露出している部分以外を流通することができるので、空気清浄機４０は、空気を流通させる性能を維持しつつ、ダスト成分を採取することができる。
【００９０】
実施の形態６．
図１２は、実施の形態６に係る除湿機５０の構造を示す分解斜視図であり、空気を流通させる機能を有した家電製品として除湿機５０を示したものである。除湿機５０は、本体部５１、タンク５２、フィルタカバー５３およびフィルタ５４を備える。本体部５１の筐体には、吸い込み口５１ａが形成されており、筐体の内部には、熱交換器および送風ファンを備えている。タンク５２には、熱交換器によって冷却された空気から除去された水分が蓄えられる。フィルタカバー５３は、フィルタ５４を介して本体部５１の吸い込み口５１ａの前面に組み付けられるカバーである。フィルタ５４は、空気に含まれるダスト成分を除去するフィルタである。
【００９１】
図１３は、実施の形態６に係る除湿機５０におけるダスト採取に関連した構成を示すブロック図である。ダスト採取シート３Ｅは、本体部３ｋ、採取部３ｌ、通信部３１および記憶部３２を備えている。本体部３ｋは、採取部３ｌの周縁部を支持する枠体であって、一方の面がフィルタ５４に貼り付けられる接着面になっている。採取部３ｌは、空気の流れに暴露されると、ダスト成分を空気から採取する。採取部３ｌは、例えば、空気中の塵埃を細孔で吸着するフィルタであってもよいし、粘着性によって塵埃を採取する粘着剤であってもよい。
【００９２】
通信部３１は、除湿機５０が備える通信部２１と通信を行う通信部である。記憶部３２は、ダスト採取シート３ＥのＩＤ情報を記憶する記憶部である。通信部３１は、近距離通信を行って、記憶部３２から読み出したダスト採取シート３ＥのＩＤ情報を通信部２１へ送信する。近距離通信は、通信部２１との距離が数十センチメートル以下の場合に可能となる通信（非接触通信）である。例えば、ダスト採取シート３Ｅが貼り付けられたときに、通信部３１は、記憶部３２から読み出したＩＤ情報を通信部２１へ送信する。
【００９３】
通信部２１は、除湿機５０が備えるセンサ２２によってダスト採取シート３Ｅの取り付けが検出されたときに、ダスト採取シート３ＥのＩＤ情報をデータベース５に送信し、ダスト採取シート３Ｅによってダスト成分が採取されたときの除湿機５０の動作状態情報をデータベース５に送信する。これにより、図３に示した処理が実行される前に、データベース５には、ダスト採取シート３ＥのＩＤ情報に対応付けて、分析装置４によるダスト成分の分析結果および除湿機５０の動作状態情報が記憶される。
【００９４】
ダスト採取シート３Ｅがフィルタ５４の一部に設置されることにより、吸い込み口を通ってフィルタ５４に向かう、ダスト成分を含む空気の流通経路の一部に採取部３ｌが露出した状態となる。これにより、フィルタ５４においてダスト採取シート３Ｅが設けられた部分では、採取部３ｌによってダスト成分が採取され、ダスト採取シート３Ｅ以外の部分では、空気が流通する。
【００９５】
なお、除湿機５０に対して、ダスト採取シート３Ｅの代わりに、ダスト採取スティック３を設置してもよい。この場合、ダスト採取スティック３を設置するための開口が、除湿機５０の空気の流通経路に面した壁面（例えば、本体筐体の側面）に設けられ、漏れ防止弁が一体に形成されたパッキンが当該開口の周縁部に設けられる。このように構成された除湿機５０であっても、採取部３ｂによってダスト成分が採取され、採取部３ｂ以外の部分では、空気が流通するので、上記と同様に、空気を流通させる性能を維持しつつ、ダスト採取スティック３によるダスト成分の採取を行うことができる。
【００９６】
以上のように、実施の形態６に係る除湿機５０において、ダスト採取シート３Ｅが、除湿機５０によって流通された空気の流通経路の一部に露出した状態で設置され、流通経路の空気からダスト成分を採取する。流通経路において、空気は、ダスト採取シート３Ｅが露出している部分以外を流通することができるので、除湿機５０は、空気を流通させる性能を維持しつつ、ダスト成分を採取することができる。
【００９７】
実施の形態７．
図１４Ａは、実施の形態７に係る換気扇７０を示す斜視図であり、空気を流通させる機能を有した家電製品として換気扇７０を示したものである。換気扇７０は、モータを支持する枠体７１、モータによって回転する羽根７２およびフィルタ７３を備える。また、フィルタ７３の一部には、ダスト採取シート３Ｆが設置されている。図１４Ｂは、実施の形態７に係るダスト採取シート３Ｆが設けられたフィルタ７３が、図１４Ａの枠体７１から外された状態を示す斜視図である。図１４Ｂに示すように、フィルタ７３は、枠体７１に着脱可能である。
【００９８】
図１５は、実施の形態７に係る換気扇７０におけるダスト採取に関連した構成を示すブロック図である。ダスト採取シート３Ｆは、本体部３ｍ、採取部３ｎ、通信部３１および記憶部３２を備えている。本体部３ｍは、採取部３ｎの周縁部を支持する枠体であって、一方の面がフィルタ７３に貼り付けられる接着面になっている。採取部３ｎは、空気の流れに暴露されると、ダスト成分を空気から採取する。採取部３ｎは、例えば、空気中の塵埃を細孔で吸着するフィルタであってもよいし、粘着性によって塵埃を採取する粘着剤であってもよい。
【００９９】
通信部３１は、換気扇７０が備える通信部２１と通信を行う通信部である。記憶部３２は、ダスト採取シート３ＦのＩＤ情報を記憶する記憶部である。通信部３１は、近距離通信を行って、記憶部３２から読み出したダスト採取シート３ＦのＩＤ情報を通信部２１へ送信する。近距離通信は、通信部２１との距離が数十センチメートル以下の場合に可能となる通信（非接触通信）である。例えば、ダスト採取シート３Ｆが貼り付けられたときに、通信部３１は、記憶部３２から読み出したＩＤ情報を通信部２１へ送信する。
【０１００】
通信部２１は、換気扇７０が備えるセンサ２２によってダスト採取シート３Ｆの取り付けが検出されたときに、ダスト採取シート３ＦのＩＤ情報をデータベース５に送信し、ダスト採取シート３Ｆによってダスト成分が採取されたときの換気扇７０の動作状態情報をデータベース５に送信する。これにより、図３に示した処理が実行される前に、データベース５には、ダスト採取シート３ＥのＩＤ情報に対応付けて、分析装置４によるダスト成分の分析結果および換気扇７０の動作状態情報が記憶される。
【０１０１】
羽根７２の回転によって換気扇７０に吸い込まれた屋内の空気は、フィルタ７３を通過して屋外へ送風される。ダスト採取シート３Ｆが、フィルタ７３の一部に着脱可能に設置されることにより、屋内からフィルタ７３に向かう、ダスト成分を含む空気の流通経路の一部に採取部３ｎが露出した状態となる。これにより、換気扇７０において、ダスト採取シート３Ｆが設けられた部分では、採取部３ｎによってダスト成分が採取され、ダスト採取シート３Ｆ以外の部分では、空気が流通する。
【０１０２】
なお、換気扇７０に対して、ダスト採取シート３Ｆの代わりに、ダスト採取スティック３を設置してもよい。この場合、ダスト採取スティック３を設置するための開口が、換気扇７０の空気の流通経路に面した壁面（例えば、枠体７１）に設けられて、漏れ防止弁が一体に形成されたパッキンが当該開口の周縁部に設けられる。このように構成された換気扇７０であっても、採取部３ｂによってダスト成分が採取され、採取部３ｂ以外の部分では空気が流通するので、空気を流通させる性能を維持しつつ、ダスト採取スティック３によるダスト成分の採取を行うことができる。
【０１０３】
以上のように、実施の形態７に係る換気扇７０において、ダスト採取シート３Ｆが、換気扇７０によって流通された空気の流通経路の一部に露出した状態で設置され、流通経路の空気からダスト成分を採取する。流通経路において、空気は、ダスト採取シート３Ｆが露出している部分以外を流通することができるので、換気扇７０は、空気を流通させる性能を維持しつつ、ダスト成分を採取することができる。
【０１０４】
実施の形態８．
図１６は、実施の形態８に係る扇風機９０の前面ガード部材９３を外した状態を示す斜視図であって、空気を流通させる機能を有した家電製品として扇風機９０を示したものである。扇風機９０は、図１６に示すように、羽根９１、枠体９２および前面ガード部材９３を備える。羽根９１は、モータによって回転して風を起こす部材である。枠体９２は、羽根９１を収容するとともに、羽根９１を回転させるモータを支持する。前面ガード部材９３は、枠体９２に組み付けられて、回転した羽根９１によって発生された空気の流れを維持しつつ、羽根９１への物体の接触を防止する部材である。
【０１０５】
図１７は、実施の形態８に係る扇風機９０におけるダスト採取に関連した構成を示すブロック図である。ダスト採取テープ３Ｇは、本体部３ｏ、採取部３ｐ、通信部３１および記憶部３２を備えている。本体部３ｏは、一方の面が接着面になっているテープ部材であり、接着面ではない他方の面上に採取部が担持されている。採取部３ｐは、空気の流れに暴露されると、環境診断対象のダスト成分を空気から採取する。採取部３ｐは、例えば、空気中の塵埃を細孔で吸着するフィルタであってもよいし、粘着性によって塵埃を採取する粘着剤であってもよい。
【０１０６】
前面ガード部材９３において、ダスト採取テープ３Ｇが貼り付けられる部分は、例えば図１６に示すように、前面ガード部材９３の裏側（羽根９１側）でかつ羽根９１の回転軸に対向した部分である。すなわち、ダスト採取テープ３Ｇが前面ガード部材９３に着脱可能に設置されることにより、扇風機９０によって形成された空気の流通経路の一部に採取部３ｐが露出した状態となる。これにより、前面ガード部材９３において、採取部３ｐによってダスト成分が採取されるが、ダスト採取テープ３Ｇ以外の部分では、空気が流通する。
【０１０７】
通信部３１は、扇風機９０が備える通信部２１と通信を行う通信部である。記憶部３２は、ダスト採取テープ３ＧのＩＤ情報を記憶する記憶部である。通信部３１は、近距離通信を行って、記憶部３２から読み出したダスト採取テープ３ＧのＩＤ情報を通信部２１へ送信する。近距離通信は、通信部２１との距離が数十センチメートル以下の場合に可能となる通信（非接触通信）である。例えば、ダスト採取テープ３Ｇが貼り付けられたとき、通信部３１は、記憶部３２から読み出したＩＤ情報を通信部２１へ送信する。
【０１０８】
通信部２１は、扇風機９０が備えるセンサ２２によってダスト採取テープ３Ｇの貼り付けが検出されたときに、ダスト採取テープ３ＧのＩＤ情報をデータベース５に送信し、ダスト採取テープ３Ｇによってダスト成分が採取されたときの扇風機９０の動作状態情報をデータベース５に送信する。これにより、図３に示した処理が実行される前に、データベース５には、ダスト採取テープ３ＧのＩＤ情報に対応付けて、分析装置４によるダスト成分の分析結果および扇風機９０の動作状態情報が記憶される。
【０１０９】
なお、扇風機９０に対して、ダスト採取テープ３Ｇの代わりに、ダスト採取スティック３を設置してもよい。この場合、ダスト採取スティック３を設置するための開口が、扇風機９０の空気の流通経路に面した壁面（例えば、枠体９２の側面）に設けられ、漏れ防止弁が一体に形成されたパッキンが当該開口の周縁部に設けられる。このように構成された扇風機９０であっても、採取部３ｂによってダスト成分が採取され、採取部３ｂ以外の部分では空気が流通するので、上記と同様に、空気を流通させる性能を維持しつつ、ダスト採取スティック３によるダスト成分の採取を行うことができる。
【０１１０】
以上のように、実施の形態８に係る扇風機９０において、ダスト採取テープ３Ｇが、羽根９１によって流通された空気の流通経路の一部に露出した状態で設置され、流通経路の空気からダスト成分を採取する。流通経路において、空気は、ダスト採取テープ３Ｇが露出している部分以外を流通することができるので、扇風機９０は、空気を流通させる性能を維持しつつ、ダスト成分を採取することができる。
【０１１１】
また、実施の形態２に係る診断システム１Ａが備える電気掃除機２Ａの代わりに、実施の形態３から実施の形態８までに示した家電製品２，１０，４０，５０，７０，９０の少なくともいずれか一つを用いてもよいし、電気掃除機２Ａとともに、これらの家電製品の少なくともいずれか一つを用いてもよい。
【０１１２】
実施の形態１から実施の形態８までにおいて、様々なダスト採取体を示したが、本発明に係るダスト採取体は、空気の流通経路の一部に露出された状態で家電製品に設置され、流通経路の空気からダスト成分を採取することができる構造であればよく、これまで示したダスト採取体の構造に限定されるものではない。
【０１１３】
なお、本発明は上記実施の形態に限定されるものではなく、本発明の範囲内において、実施の形態のそれぞれの自由な組み合わせまたは実施の形態のそれぞれの任意の構成要素の変形もしくは実施の形態のそれぞれにおいて任意の構成要素の省略が可能である。
【産業上の利用可能性】
【０１１４】
本発明に係る診断システムは、例えば、住宅の居室におけるダスト成分の状態の診断に利用可能である。
【符号の説明】
【０１１５】
１，１Ａ  診断システム、２，２Ａ  電気掃除機、２ａ，３ａ，３ｃ，３ｅ，３ｇ，３ｉ，３ｋ，３ｍ，３ｏ，４１，５１  本体部、２ｂ  集塵部、２ｂ１  開口、２ｃ  パイプ部、２ｄ  吸込口体、３  ダスト採取スティック、３Ａ，３Ｃ，３Ｇ  ダスト採取テープ、３Ｂ，３Ｄ，３Ｅ，３Ｆ  ダスト採取シート、３ｂ，３ｄ，３ｆ，３ｈ，３ｊ，３ｌ，３ｎ，３ｐ  採取部、４  分析装置、５，５Ａ  データベース、６，６Ａ  診断装置、７  パッキン、７ａ  漏れ防止弁、８  携帯通信端末、１０  空気調和機、１０ａ  前面パネル、１１  ルーバー、１２，４６ａ，５４，７３  フィルタ、２１，２１Ａ，３１，８３  通信部、２２，２３  センサ、３２  記憶部、４０  空気清浄機、４２  送風ファン、４３  触媒、４４  活性炭フィルタ、４５  除菌フィルタ、４６  プレフィルタユニット、４７  吸込パネル、５０  除湿機、５２  タンク、５３  フィルタカバー、６１  情報取得部、６２，６２Ａ  診断処理部、７０  換気扇、７１，９２  枠体、７２，９１  羽根、８１  カメラ部、８１ａ  撮影範囲、８２  制御部、９０  扇風機、９３  前面ガード部材、１００  入力インタフェース、１０１  出力インタフェース、１０２  記憶装置インタフェース、１０３  処理回路、１０４  プロセッサ、１０５  メモリ。
【要約】
診断システム（１）は、家電製品（２，１０，４０，５０，７０，９０）と、家電製品（２，１０，４０，５０，７０，９０）によって流通された空気からダスト成分を採取するダスト採取体（３，３Ａ〜３Ｇ）と、ダスト採取体（３，３Ａ〜３Ｇ）によって採取されたダスト成分を分析する分析装置（４）と、分析装置（４）によるダスト成分の分析結果と家電製品（２，１０，４０，５０，７０，９０）の動作状態を示す動作状態情報とを対応付けて記憶するデータベース（５）と、データベース（５）に記憶された分析結果および動作状態情報に基づいて、対象空間におけるダスト成分の状態を診断する診断装置（６）を備える。【図１】
0006739679.tif 000002
【図２】
0006739679.tif 000003
【図３】
0006739679.tif 000004
【図４】
0006739679.tif 000005
【図５】
0006739679.tif 000006
【図６】
0006739679.tif 000007
【図７】
0006739679.tif 000008
【図８】
0006739679.tif 000009
【図９】
0006739679.tif 000010
【図１０】
0006739679.tif 000011
【図１１】
0006739679.tif 000012
【図１２】
0006739679.tif 000013
【図１３】
0006739679.tif 000014
【図１４】
0006739679.tif 000015
【図１５】
0006739679.tif 000016
【図１６】
0006739679.tif 000017
【図１７】
0006739679.tif 000018